(57)【要約】  エンジン本体に対して過給機（６２）を容易に組付けたり、取り外したりすることができるエンジン（Ｅ）の過給機取付構造を提供する。エンジン（Ｅ）の過給機取付構造は、過給機（６２）が、エンジン（Ｅ）に吸気を圧送する圧送部（６１）と、エンジン回転軸（３９）の回転速度を増速して圧送部（６１）に伝達する増速部（６３）と、圧送部（６１）および増速部（６３）を収納する過給機ケース（６７）とを有し、過給機ケース（６７）がエンジン（Ｅ）のクランクケース（４０）に着脱自在に取り付けられている。
2014010652.tif 000002
【特許請求の範囲】
【請求項１】
エンジンに過給機を取り付ける過給機取付構造であって、
前記過給機は、エンジンに吸気を圧送する圧送部と、エンジン回転軸の回転速度を増速して前記圧送部に伝達する増速部と、これら圧送部および増速部を収納する過給機ケースとを有し、
前記過給機ケースが前記エンジンのクランクケースに着脱自在に取り付けられているエンジンの過給機取付構造。
【請求項２】
請求項１において、前記クランクケースの上部に開口が形成され、前記開口を貫通して延びる動力伝達体によって前記エンジンの動力が前記増速部に伝達されるエンジンの過給機取付構造。
【請求項３】
請求項１または２において、前記過給機ケースは、前記クランクケースの上部を覆うケース本体と、前記圧送部を収納する圧送部ハウジングとを有し、
前記圧送部ハウジングは、前記ケース本体に連結された状態で、一部が前記ケース本体の下面よりも下方に突出しているエンジンの過給機取付構造。
【請求項４】
請求項３において、前記クランクケースの上面は、前記ケース本体と当接する当接面と、前記圧送部ハウジングと前記過給機の軸方向に対向する対向面とを有し、
前記対向面が前記当接面よりも下方に形成されているエンジンの過給機取付構造。
【請求項５】
請求項４において、前記クランクケースの上面は、さらに、前記対向面から前記当接面と反対側に前記圧送部の軸方向に延びる延長面が形成され、
前記延長面も、前記対向面とともに前記当接面よりも下方に形成されているエンジンの過給機取付構造。
【請求項６】
請求項１から５のいずれか一項において、前記圧送部の回転軸が前記クランクケースの上面よりも上方に位置するように、前記過給機ケースに前記回転軸の支持部が収納されているエンジンの過給機取付構造。
【請求項７】
請求項１から６のいずれか一項において、前記エンジン回転軸に回転連結されて前記過給機を駆動する駆動軸が、前記クランクケースに支持され、
前記駆動軸に前記過給機の動力経路を切り換える切換機構が装着され、この切換機構をシフトフォークを介して作動させるチェンジドラムが前記過給機ケースに収納されているエンジンの過給機取付構造。
【請求項８】
請求項７において、前記シフトフォークは、前記クランクケースの上部に形成される開口を貫通して延びているエンジンの過給機取付構造。
【請求項９】
請求項７または８において、前記チェンジドラムを駆動するためのシフタ駆動手段が、前記過給機ケースに着脱自在に取り付けられているエンジンの過給機取付構造。
【発明の詳細な説明】
【関連出願】
【０００１】
この出願は、２０１２年７月１１日出願の特願２０１２−１５５４６３の優先権を主張するものであり、その全体を参照により本願の一部をなすものとして引用する。
【技術分野】
【０００２】
本発明は、例えば、自動二輪車のような車両に搭載されるエンジンに過給機を取り付けるエンジンの過給機取付構造に関するものである。
【背景技術】
【０００３】
自動二輪車のような車両に搭載されるエンジンにおいて、外気を加圧してエンジンに供給する過給機を設けたものがある（例えば、特許文献１）。この過給機は、エンジン回転軸の回転に連動して駆動するように構成されており、それを設けるメリットとして、吸気の吸入効率を上げてエンジンの出力が向上することなどがある。
【先行技術文献】
【特許文献】
【０００４】
【特許文献１】特開平２−１６３５３９号公報
【発明の概要】
【発明が解決しようとする課題】
【０００５】
上記のような過給機において、エンジンに吸気を圧送する圧送部と、エンジン回転軸の回転速度を増速して前記圧送部に伝達する増速部とを有しているものがある。これら圧送部と増速部とを別々にエンジン本体に取り付けると、過給機の組付け、取り外しの作業性が低下する。【０００６】
本発明は、前記課題に鑑みてなされたもので、エンジン本体に対して過給機を容易に組付けたり、取り外したりすることができるエンジンの過給機取付構造を提供することを目的とする。
【課題を解決するための手段】
【０００７】
上記目的を達成するために、本発明のエンジンの過給機取付構造は、過給機は、エンジンに吸気を圧送する圧送部と、エンジン回転軸の回転速度を増速して前記圧送部に伝達する増速部と、これら圧送部および増速部を収納する過給機ケースとを有し、前記過給機ケースが前記エンジンのクランクケースに着脱自在に取り付けられている。【０００８】
この構成によれば、エンジンのクランクケースに着脱自在な過給機ケースに、過給機の圧送部と増速部とが収納され、圧送部、増速部および過給機ケースが１つのアッシーとなっているので、エンジンに対して過給機を容易に組付けたり、取り外したりすることができる。【０００９】
本発明において、前記クランクケースの上部に開口が形成され、前記開口を貫通して延びる動力伝達体によって前記エンジンの動力が前記増速部に伝達されることが好ましい。この構成によれば、動力伝達体が開口を貫通して延びているので、クランクケースの上方に過給機を配置した場合でも、過給機の軸方向に近接した位置に配置した動力伝達体によって、エンジン動力を過給機に円滑に伝達できる。【００１０】
本発明において、前記過給機ケースは、前記クランクケースの上部を覆うケース本体と、前記圧送部を収納する圧送部ハウジングとを有し、前記圧送部ハウジングは、前記ケース本体に連結された状態で、一部が前記ケース本体の下面よりも下方に突出していることが好ましい。この構成によれば、圧送部ハウジングとケース本体とを別体に形成することで、ケース本体の上下方向寸法が大形化するのを防ぐことができる。【００１１】
前記過給機ケースが前記ケース本体と前記圧送部ハウジングとを有する場合、前記クランクケースの上面は、前記ケース本体と当接する当接面と、前記圧送部ハウジングと前記過給機の軸方向に対向する対向面とを有し、前記対向面が前記当接面よりも下方に形成されていることが好ましい。この構成によれば、対向面が前記当接面よりも下方に形成されているので、クランクケースの上面と圧送部ハウジングとが干渉することを防ぎつつ、過給機のクランクケースから上方への突出量を抑制できる。【００１２】
クランクケースの上面に前記当接面と前記対向面とが形成される場合、前記クランクケースの上面は、さらに、前記対向面から前記当接面と反対側に前記圧送部の軸方向に延びる延長面が形成され、前記延長面も、前記対向面とともに前記当接面よりも下方に形成されていることが好ましい。この構成によれば、延長面に、例えば、圧送部に接続される吸気ダクトを容易に配置できる。【００１３】
本発明において、前記圧送部の回転軸が前記クランクケースの上面よりも上方に位置するように、前記過給機ケースに前記回転軸の支持部が収納されていることが好ましい。この構成によれば、圧送部の回転体、例えばインペラをクランクケースの上方に配置しても、回転軸の支持部を過給機ケースに収納することで、回転体とクランクケースとの上下方向の干渉を防ぐことができる。【００１４】
本発明において、前記エンジン回転軸に回転連結されて前記過給機を駆動する駆動軸が、前記クランクケースに支持され、前記駆動軸に前記過給機の動力経路を切り換える切換機構が装着され、この切換機構をシフトフォークを介して作動させるチェンジドラムが前記過給機ケースに収納されていることが好ましい。この構成によれば、チェンジドラムも過給機ケースに収納されるので、チェンジドラムの組付けが容易になる。【００１５】
前記シフトフォークを有する場合、前記チェンジドラムまたはシフトフォークは、前記クランクケースの上部に形成される開口を貫通して延びていることが好ましい。この構成によれば、チェンジドラムまたはシフトフォークが開口を貫通して延びているので、これらをクランクケースの側面に配置する場合に比べて、チェンジドラム、シフトフォークをエンジンの内側に配置しやすい。【００１６】
前記シフトフォークおよびチェンジドラムを有する場合、前記チェンジドラムを駆動するためのシフタ駆動手段が、前記過給機ケースに着脱自在に取り付けられていることが好ましい。この構成によれば、シフタ駆動手段を取り付ける前の状態で、シフトフォークを過給機ケースに嵌め込むことができ、組立性が向上する。【００１７】
請求の範囲および／または明細書および／または図面に開示された少なくとも２つの構成のどのような組合せも、本発明に含まれる。特に、請求の範囲の各請求項の２つ以上のどのような組合せも、本発明に含まれる。
【図面の簡単な説明】
【００１８】
この発明は、添付の図面を参考にした以下の好適な実施形態の説明からより明瞭に理解されるであろう。しかしながら、実施形態および図面は単なる図示および説明のためのものであり、この発明の範囲を定めるために利用されるべきものではない。この発明の範囲は添付の請求の範囲によって定まる。添付図面において、複数の図面における同一の部品番号は、同一または相当部分を示す。
【図１】本発明の第１実施形態に係る過給機取付構造を備えたエンジンを搭載した自動二輪車を示す側面図である。
【図２】同エンジンの一部の部品を取り外した状態を示す後方斜視図である。
【図３】同エンジンの上部の部品を取り外した状態を示す後方斜視図である。
【図４】図３から過給機の本体ケースを取り外した状態を示す後方斜視図である。
【図５】同過給機の駆動系を示す軸配置図である。
【図６】同過給機の過給機を示す斜視図である。
【図７】同過給機を示す水平断面図である。
【図８】同エンジンを搭載した自動二輪車の異なる例を示す側面図である。
【発明を実施するための形態】
【００１９】
以下、本発明の好ましい実施形態について図面を参照しながら説明する。本明細書において、「左側」および「右側」は、車両に乗車した運転者から見た左右側をいう。
【００２０】
図１は本発明の一実施形態に係るエンジンを搭載した鞍乗型車両の一種である自動二輪車の側面図である。この自動二輪車の車体フレームＦＲは、前半部を形成するメインフレーム１と、このメインフレーム１の後部に取り付けられて車体フレームＦＲの後半部を形成するシートレール２および補強レール２ａとを有している。メインフレーム１の前端に一体形成されたヘッドパイプ４に、図示しないステアリングシャフトを介してフロントフォーク８が回動自在に軸支されて、このフロントフォーク８に前輪１０が取り付けられている。すなわち、ヘッドパイプ４がハンドルポストとして機能し、車体フレームＦＲの一部であるメインフレーム１が、ヘッドパイプ４から車体後方に延びている。フロントフォーク８の上端部に操向用のハンドル６が固定されている。
【００２１】
一方、車体フレームＦＲの中央下部であるメインフレーム１の後端部にスイングアームブラケット１２が設けられている。このスイングアームブラケット１２にスイングアーム２０が上下揺動自在に軸支され、このスイングアーム２０の後端部に後輪２２がピボット軸２３の回りに回転自在に支持されている。車体フレームＦＲの中央下部でスイングアームブラケット１２の前側にエンジンＥが取り付けられている。エンジンＥの回転がチェーンのような伝達機構２４に伝達され、この伝達機構２４を介して後輪２２が駆動される。エンジンＥは、例えば４気筒４サイクルの並列多気筒エンジンである。エンジンＥの形式はこれに限定されない。リヤフレーム２とスイングアーム２０との間に、後輪２２とリヤフレーム２との間にかかる荷重を緩衝する後部クッション機構２５が連結されている。
【００２２】
メインフレーム１の上部に燃料タンク２８が配置され、リヤフレーム２に操縦者用シート３０および同乗車用シート３２が支持されている。また、車体前部に、前記ヘッドパイプ４の前方から車体前部の側方にかけての部分を覆う樹脂製のカウリング３４が装着されている。カウリング３４には、ヘッドランプユニット３６が装着され、このヘッドランプユニット３６の下方に位置してエンジンＥへの吸気を取り入れる空気取入口３８が形成されている。
【００２３】
空気取入口３８が、車体前方に開放されることで走行風Ａの風圧を利用してエンジンＥへの吸気量を増やすことができる。空気取入口３８は、カウリング３４の前面に配置され、走行風圧が最も高い、カウリング３４の前端部に配置されている。この実施形態では、空気取入口３８は、ヘッドランプユニット３６の下方に位置しているが、ヘッドランプユニット３６の上方に位置してもよいし、車幅方向に離れた２つのランプを有する２灯式ヘッドランプの車幅方向の中間に位置してもよい。
【００２４】
エンジンＥは、車幅方向に延びるエンジン回転軸３９を支持するクランクケース４０と、クランクケース４０から上方に突出したシリンダブロック４２およびその上方のシリンダヘッド４４と、シリンダヘッド４４の上部に取り付けられて吸排気バルブのカム機構（図示せず）を覆うヘッドカバー４６と、クランクケース４０の下方に設けられたオイルパン５０とを有している。クランクケース４０の後部は変速機ケースを兼ねている。シリンダブロック４２は若干前傾している。シリンダヘッド４４の後部に吸気ポート４７が設けられている。シリンダヘッド４４の前面の排気ポートに接続された４本の排気管５４が、エンジンＥの下方で集合され、後輪２２の右側に配置された排気マフラー５６に接続されている。
【００２５】
シリンダブロック４２の後方でクランクケース４０の上方に、外気を取り込んでエンジンＥに供給する吸気部を構成する過給機６２が配置されている。過給機６２は車幅方向に延びる過給機回転軸６４と、クランクケース４０の上方で左向きに開口した吸込口６６と、エンジンＥの車幅方向の中央部で過給機回転軸６４よりも後方に位置する吐出口６８とを有している。過給機６２の吸込口６６はシリンダブロック４２の左側面よりも車幅方向内側に配置され、吸込口６６に、シリンダブロック４２の前方を流れる走行風Ａを過給機６２に導入する吸気ダクト７０が接続されている。
【００２６】
吸気ダクト７０は、エンジンＥの一側方である左側方に配置されており、上流側のラムダクトユニット５１と下流側の吸入ダクト部５３とを有している。ラムダクトユニット５１は、前端開口５１ａを前記カウリング３４の空気取入口３８に臨ませた配置でメインフレーム１に支持されており、前端開口５１ａから導入した空気をラム効果により昇圧させる。ラムダクトユニット５１の後端部５１ｂに吸入ダクト部５３の前端部５３ａが接続されている。
【００２７】
図２に示すように、吸入ダクト部５３の後端部５３ｂは、過給機６２の吸込口６６に接続されている。また、図１のラムダクトユニット５１の後端部５１ｂと吸入ダクト部５３の前端部５３ａとの接続部分に、過給機６２に導入する空気を浄化する前記エアクリーナ５５が内蔵されている。さらに、吸入ダクト部５３の下流端部に、吸入ダクト部５３の他の部分よりも流路面積が大きく設定された空気溜め部５７が形成されている。この空気溜め部５７はシリンダブロック４２の後方に位置しており、その出口に過給機６２の吸込口６６が接続されている。
【００２８】
過給機６２の吐出口６８は上方を向いており、前後方向における、吐出口６８とエンジンＥの４つの吸気ポート４７（図１）との間に、過給機６２から供給されて吸気ポート４７（図１）に向かう吸気を溜める吸気チャンバ７４が配置されている。吸気チャンバ７４は、エンジンＥの車幅方向のほぼ全長にわたる幅寸法を有しており、図１に示すように、過給機６２の上方でシリンダブロック４２の後方に配置されている。
【００２９】
吸気チャンバ７４とシリンダヘッド４４との間には、スロットルボディ７６が配置されている。このスロットルボディ７６において、吸入空気中に燃料が噴射されて混合気が生成され、この混合気が各吸気ポート４７からエンジンＥの４つのシリンダボア内の燃焼室７２（図２）に供給される。これら吸気チャンバ７４およびスロットルボディ７６の上方に、前記燃料タンク２８が配置されている。
【００３０】
図２に示すように、前記過給機６２は、エンジンＥに吸気を圧送する圧送部６１と、エンジン回転軸３９（図１）の回転速度を増速して圧送部６１に伝達する増速部６３とを有している。圧送部６１および増速部６３は過給機ケース６７に収納され、過給機ケース６７がエンジンＥのクランクケース４０に着脱自在に取り付けられている。過給機ケース６７は、クランクケース４０の上部を覆うケース本体６９と、圧送部６１を収納する圧送部ハウジング７１とを有している。ケース本体６９が複数のボルト７３によりクランクケース４０の上面４０ａに取り付けられ、圧送部ハウジング７１が、ハウジング締結部材１１８によりケース本体６９に連結されている。
【００３１】
圧送部６１は、回転子である羽根車を含み、羽根車を回転させることで吸込口６６に導かれた外気を、吐出口６８から圧力を高めて吐出する。羽根車は、エンジン回転軸３９（図１）の回転が伝達されて回転する。圧送部ハウジング７１は椀状に形成される。吸込口６６は、圧送部ハウジング７１における増速部６３と反対側の軸端部、具体的には、左側に開口している。吐出口６８は、圧送部ハウジング７１の外周部に形成され、過給機の回転軸心Ｃの径方向、具体的には、上側に開口している。吐出口６８は、複数気筒エンジンＥの幅方向（左右方向）中心付近に配置されており、これにより、吸気チャンバ７４内の吸気の不均一が抑制され、各気筒への圧送量のばらつきを抑制できる。
【００３２】
増速部６３は、エンジン回転軸３９（図１）の回転を前記羽根車に伝達する機構であり、入力される回転に対して、出力される回転を高めて前記羽根車に伝達する歯車群を備える。これにより前記羽根車を高速回転させることができる。過給機ケース６７は、前記羽根車、歯車群を回転可能に支持する支持部を備える。圧送部６１と増速部６３とが同一軸心Ｃ上で連結されるので、過給機ケース６７のクランクケース４０からの突出寸法が小さくなる。圧送部６１および増速部６３の詳細は後述する。
【００３３】
前記ケース本体６９は、増速部６３を収納する増速部収納部７５と、後述するチェンジドラム１０８（図５）を収納するドラム収納部７７とを有している。ケース本体６９は、ドラム収納部７７および増速部収納部７５がそれぞれ前後方向に並んだ状態でクランクケース４０の上面４０ａに支持される。圧送部ハウジング７１は、ケース本体６９の増速部収納部７５の左端に連結された状態で、図３に示すように、その一部がケース本体６９の下面６９ｄよりも下方に突出している。
【００３４】
前記クランクケース４０の上面４０ａに開口１５０が形成され、この開口１５０が、クランクケース４０の上面４０ａに支持されたケース本体６９により塞がれている。すなわち、図３のケース本体６９は開口１５０の蓋部としても機能する。図４に示すように、開口１５０は、クランクケース４０の右端部寄りで、右端部のやや内側に形成されている。これにより、過給機６２を内側に配置しやすい。
【００３５】
図３に示すように、クランクケース４０の上面４０ａには、ケース本体６９と当接する当接面１５２と、圧送部ハウジング７１と軸方向に対向する第１対向面１５４とが形成されている。第１対向面１５４は当接面１５２よりも下方に位置しており、当接面１５２からほぼ９０°の角度で落ち込んだ段差部を形成している。クランクケース４０の上面４０ａには、さらに、第１対向面１５４から当接面１５２と反対側（図３の左側）に過給機回転軸６４の軸方向に延びる延長面１５６が形成されている。したがって、延長面１５６も、第１対向面１５４とともに当接面１５２よりも下方に位置する。
【００３６】
ケース本体６９の増速部収納部７５における圧送部ハウジング７１との連結箇所に、筒状のケースフランジ６９ａが形成され、クランクケース４０の上面４０ａにおけるケースフランジ６９ａに対向する第２対向面１５５も、当接面１５２から下方にくぼんでいる。ケースフランジ６９ａの内部に、後述の遊星歯車装置１１２（図６）が収納される。第１対向面１５４と第２対向面１５５との間の隔壁１５７に、上方に開口したオイル孔１５７ａが形成され、このオイル孔１５７ａが、過給機６２および遊星歯車装置１１２の潤滑油を流すオイル通路に連通している。
【００３７】
図４に示すように、前記ケース本体６９（図３）とクランクケース４０の上面４０ａとの間は、単一のフレーム状のシール部材１５８によって封止されている。シール部材１５８は、例えば、ゴム製の板からなる。これにより、シール構造が単純化される。シール部材１５８におけるオイル孔１５７ａに相当する部分に、オイル通路の一部を構成する貫通孔１６０が形成されている。これにより、効果的にオイル漏れを防止できる。
【００３８】
図５に示すように、エンジンＥの回転軸であるクランク軸３９には、クランク軸３９と平行な軸心を持つカウンタ軸７８を駆動するためのクランクギヤ８０が設けられ、カウンタ軸７８に対して、クランク軸３９と反対側に過給機駆動軸８２が配置されている。カウンタ軸７８および過給機駆動軸８２はクランクケース４０に支持されている。クランク軸３９のクランクギヤ８０に噛み合う駆動ギヤ８４がカウンタ軸７８に一体回転するようにスプライン嵌合されている。スタータギヤ８６がカウンタ軸７８に相対回転自在に支持され、駆動ギヤ８４とスタータギヤ８６との間にワンウェイクラッチ８５が介在されている。
【００３９】
スタータギヤ８６に、トルクリミッタ８８を介してスタータモーター９０が接続されている。これにより、エンジンＥが停止している状態でスタータモーター９０が回転するとワンウェイクラッチ８５が接続されて、クランク軸３９へ始動トルクが伝達される。また、エンジンＥの始動後にクランク軸３９の回転速度がスタータモーター９０より速くなると、ワンウェイクラッチ８５が遮断されてクランク軸３９からスタータモーター９０への動力伝達が阻止される。スタータモーター９０は、図３に示すように、過給機ケース６７のドラム収納部７７と左右方向に並んで配置されているので、スタータモーター９０と過給機ケース６７のとの干渉を防ぐことができる。また、カウンタ軸７８の上方にバランサ軸（図示せず）が配置され、このバランサ軸に駆動ギヤ８４と噛み合うバランサギヤ（図示せず）が相対回転不能に設けられている。
【００４０】
図５に示すように、カウンタ軸７８に、小径の第１変速ギヤ９２および大径の第２の変速ギヤ９４が、例えば一体形成により固定されている。本実施形態では、変速ギヤは２つであるが、３つ以上であってもよい。過給機駆動軸８２に、前記第１および第２の変速ギヤ９２，９４とそれぞれ噛み合う大径の第３変速ギヤ９６および小径の第４の変速ギヤ９８が設けられている。第３および第４の変速ギヤ９６，９８は、過給機駆動軸８２に相対回転自在で、かつ軸方向への相対移動不能に装着されている。これら第３および第４の変速ギヤ９６，９８が、過給機６２の動力経路を切り換える切換機構９９を構成する。
【００４１】
さらに、過給機駆動軸８２の右側の端部には、スプロケット１００が設けられており、エンジンＥの動力を過給機６２に伝達する帯状の無端伝動部材からなる動力伝達体１０２を介して、過給機回転軸６４に連結された入力軸６５に、過給機駆動軸８２の回転力、つまりクランク軸３９の回転力を伝達している。本実施形態では、動力伝達体としてチェーン１０２を用いている。過給機６２の駆動方法はこれに限定されない。
【００４２】
チェーン１０２は、図２に示す過給機６２の吸込口６６の車幅方向反対側で、カムチェーントンネル４１が配置される右側に配置されている。これにより、シリンダブロック４２の外端部（右端部）付近にチェーン１０２を配置した場合でも、前方のカムチェーントンネル４１が右側に突出しているので、過給機ケース６７がシリンダブロック４２から右方向に突出する量を抑制できる。本実施形態では、図５に示すように、カウンタ軸７８と過給機駆動軸８２とは直接連結されているが、アイドルギヤなどを介して間接的に連結されていてもよい。過給機６２の詳細は後述する。
【００４３】
過給機駆動軸８２における第３変速ギヤ９６と第４の変速ギヤ９８との間に、シフタ１０４が配置されている。シフタ１０４は、シフトリング１０５と、これを操作するシフトフォーク１０６と、シフトフォーク１０６を過給機駆動軸８２と平行に移動させるチェンジドラム１０８とを有している。シフトリング１０５が、過給機駆動軸８２にスプライン嵌合されることにより、過給機駆動軸８２に相対回転不能で軸方向に移動自在となっている。
【００４４】
チェンジドラム１０８は、シフタ駆動手段１１０により回転駆動されてシフトフォーク１０６を軸方向に移動させ、シフトリング１０５に設けた係合孔１０５ａを、第３および第４の変速ギヤ９６，９８に設けたドグ９６ａ，９８ａの一方に選択的に係合させる。これにより、シフトリング１０５が第３および第４の変速ギヤ９６，９８の一方に選択的に相対回転不能に係合される。
【００４５】
選択された変速ギヤ９６，９８を介して、カウンタ軸７８から過給機駆動軸８２へ動力が伝達される。すなわち、シフトリング１０５と第３の変速ギヤ９６とがドグ連結されたとき、カウンタ軸７８の回転、つまりクランク軸３９の回転が大きな増速比で過給機駆動軸８２に伝達される。一方、シフトフォーク１０６と第４の変速ギヤ９８とがドグ連結されたとき、カウンタ軸７８の回転が小さな減速比で過給機駆動軸８２に伝達される。また、ドグ連結されないときは、過給機駆動軸８２への動力の伝達は行われない。シフタ駆動手段１１０は、例えばサーボモータを有するものであるが、これに限定されない。これにより、クランク軸３９の回転動力が、選択された変速ギヤ９６，９８を介してカウンタ軸７８から過給機６２の過給機駆動軸８２に伝達される。
【００４６】
シフタ駆動手段１１０は、例えば、エンジンＥの回転数に応じてシフトフォーク１０６をチェンジドラム１０８の軸方向に移動させて、回転数に適した第３および第４の変速ギヤ９６，９８をそれぞれ選択させる。具体的には、エンジンＥの低回転域では、シフトリング１０５は第３変速ギヤ９６にドグ連結されて、過給機６２の増速比を上げて過給圧、つまり過給風量を増大させ、低速でのエンジントルクを稼ぐように設定する。一方、エンジンＥの高回転域では、シフトリング１０５は第４変速ギヤ９８にドグ連結されて、過給機６２の増速比を下げて過給風量が過大になるのを防止し、適切なエンジントルクと安定した回転が得られるように設定する。また、過給が不要な場合には、ドグ連結しない位置にシフトフォーク１０６を移動させる。
【００４７】
図６は、過給機６２のアッセンブリ状態を示す。同図に示すように、前記チェーン１０２は上部開口１５０を貫通して延びている。また、前記チェンジドラム１０８も過給機ケース６７に収納され、シフトフォーク１０６がクランクケース４０の上部開口１５０を貫通して延びている。換言すれば、チェーン１０２およびシフトフォーク１０６は、クランクケース４０の上部開口１５０から部分的に露出して、クランクケース４０とケース本体６９との両方にわたって配置されている。
【００４８】
この実施形態では、チェンジドラム１０８は上部開口１５０の上方に配置されているが、チェンジドラム１０８を上部開口１５０を横断する位置に配置してもよい。さらに、シフタ駆動手段１１０は、過給機ケース６７の外面に着脱自在に取り付けられている。このようにして、圧送部６１、増速部６３、圧縮機ケース６７、シフトフォーク１０６、チェンジドラム１０８、シフタ駆動手段１１０等からなる過給機６２のアッセンブリが構成されている。
【００４９】
過給機６２の水平断面図である図７に示すように、過給機回転軸６４の一端部６４ａに圧送部６１の前記羽根車であるインペラ１１４が固定され、前記増速部６３の前記入力軸６５の一端部６５ａ（車幅方向左側）に、増速部６３である前記遊星歯車装置１１２を介して過給機回転軸６４の他端部６４ｂが連結されている。以下、過給機６２における一端側は車幅方向左側をいい、他端側は車幅方向右側をいうものとする。
【００５０】
前記圧送部ハウジング７１は、軸受１２１を介して過給機回転軸６４を回転自在に支持するケーシング部１１６を有している。ケーシング部１１６の一端側の第１フランジ１１６ａにボルトのようなケーシング締結部材１２２を用いて、インペラ１１４を覆うハウジング部１２４が取り付けられている。ケーシング部１１６の他端側の第２フランジ１１６ｂが、クランクケース４０に支持された前記本体ケース６９のケースフランジ６９ａに、前述したハウジング締結部材１１８により固定されている。すなわち、軸受１２１は過給機回転軸６４の支持部を構成する。
【００５１】
こうして、過給機回転軸６４およびその支持部である軸受１２１がケーシング部１１６により、インペラ１１４がハウジング部１２４によりそれぞれ覆われている。ハウジング部１２４には、一端側に開口した前記吸込口６６と上方に開口した前記吐出口６８とが形成されている。
【００５２】
入力軸６５は中空軸からなり、軸受１２３を介してケース本体６９に回転自在に支持されている。入力軸６５における他端部６５ｂの外周面にスプライン歯が形成され、この外周面にスプライン嵌合されたワンウェイクラッチ１２８を介して、スプロケット１３０が入力軸６５に連結されている。スプロケット１３０の歯車１３２に前記チェーン１０２が架け渡されており、このチェーン１０２を介して過給機駆動軸８２（図５）の回転が入力軸６５に伝達されている。
【００５３】
入力軸６５の他端部６５ｂの内周面に雌ねじ部が形成されており、ワンウェイクラッチ１２８が、この雌ねじに螺合されたボルト１３４の頭部により、ワッシャ１３６を介して、他端部６５ｂに装着されている。これらワンウェイクラッチ１２８、スプロケット１３０およびボルト１３４は、図６に示す過給機ケース６７における増速部収納部７５の他端に連接されたスプロケットカバー１２９に収納されている。スプロケットカバー１２９の他端には、車体外側を向いた開口１３５が形成され、この開口１３５がキャップ１３７（図５）により塞がれている。
【００５４】
上述のように、図７に示す遊星歯車装置１１２は入力軸６５と過給機回転軸６４との間に配置され、ケース本体６９およびケーシング部１１６により支持されている。過給機回転軸６４の他端部６４ｂに、外歯１３８が形成されており、この外歯１３８に複数の遊星歯車１４０が周方向に並んでギヤ連結されている。すなわち、過給機回転軸６４の外歯１３８は、遊星歯車装置１１２の太陽歯車として機能する。さらに、遊星歯車１４０は径方向外側で大径の内歯車（リングギヤ）１４２にギヤ連結している。遊星歯車１４０は、ケーシング部１１６の他端部に装着された軸受１４３によりキャリア軸１４４に回転自在に支持されている。
【００５５】
キャリア軸１４４は固定部材１４６を有しており、この固定部材１４６がケーシング部１１６にボルト１４５により固定されている。つまり、キャリア軸１４４は固定されている。内歯車１４２には入力軸６５の一端部に設けられた入力ギヤ１４７がギヤ連結されている。このように、内歯車１４２が入力軸６５と同じ回転方向に回転するようにギヤ接続され、キャリア軸１４４が固定されて遊星歯車１４０は内歯車１４２と同じ回転方向に回転する。太陽歯車（外歯車１３８）は出力軸となる過給機回転軸６４に形成されており、遊星歯車１４０と反対の回転方向に回転する。つまり、遊星歯車装置１１２は、入力軸６５の回転を増速して、入力軸６５と反対の回転方向で過給機回転軸６４に伝達している。
【００５６】
エンジンＥが回転すると、図５に示すクランク軸３９が回転し、カウンタ軸７８が、駆動ギヤ８４とクランクギヤ８０との噛み合いによりクランク軸３９に連動して回転する。カウンタ軸７８が回転すると、変速装置を介して過給機駆動軸８２が回転する。過給機駆動軸８２が回転すると、チェーン１０２を介して入力軸６５が回転し、さらに、遊星歯車装置１１２を介して過給機回転軸６４が回転して過給機６２が始動する。
【００５７】
自動二輪車が走行すると、走行風は、図１に示す空気取入口３８からラムダクトユニット５１を通り、エアクリーナ５５で清浄化されたのち吸入ダクト部５３を通って過給機６２に導入される。過給機６２に導入された走行風Ａは、過給機６２により加圧されて、吸気チャンバ７４およびスロットルボディ７６を介してエンジンＥへ導入される。このようなラム圧と過給機６２による加圧との相乗効果により、エンジンＥに高圧の吸気を供給することができる。
【００５８】
上記構成において、図２に示すエンジンＥのクランクケース４０に着脱自在な過給機ケース６７に、過給機６２の圧送部６１と増速部６３とが収納されている。つまり、図６に示すように、過給機６２が１つのアッシーとして構成されているので、エンジンＥに対して過給機６２を容易に組付けたり、取り外したりすることができるうえに、過給機６２単品での試験も可能となる。また、アッシーを取り外し、クランクケース４０の上部開口１５０を別途カバー部材で塞ぐことで、過給機無しのタイプに簡単に切り替えられる。さらに、回転伝達体としてチェーン１０２を使うことで、過給機６２の機種変更が容易になるとともに、過給機６２無しのタイプにも容易に対応できる。
【００５９】
また、チェーン１０２がクランクケース４０の上部開口１５０を貫通して延びているので、クランクケース４０の上方に過給機６２を配置した場合でも、過給機６２の軸方向に近接した位置に配置したチェーン１０２によって、エンジン動力を過給機６２に円滑に伝達できる。
【００６０】
図７に示すように、圧送部ハウジング７１とケース本体６９とが別体に形成されているので、ケース本体６９にインペラ１１４を収納する必要がなくなり、図３に示すケース本体６９の上下方向寸法、つまり径方向寸法を小形化できる。
【００６１】
また、第１対向面１５４が当接面１５２よりも下方に形成されているので、クランクケース４０の上面４０ａと圧送部ハウジング７１とが干渉することを防ぎつつ、過給機６２のクランクケース４０から上方への突出量を抑制できる。
【００６２】
さらに、クランクケース４０の上面４０ａに、第１対向面１５４から過給機回転軸６４（図５）の軸方向の当接面１５２とは反対側に延びる延長面１５６が形成され、延長面１５６も、第１対向面１５４とともに当接面１５２よりも下方に形成されているので、延長面１５６に、吸気ダクト７０を容易に配置できる。
【００６３】
図７に示すように、過給機ケース６７に過給機回転軸６４の支持部である軸受１２１が収納されているので、過給機回転軸６４は、図３のクランクケース４０の上面４０ａよりも上方に位置している。これにより、インペラ１１４（図７）を収納する圧送部ハウジング７１をクランクケース４０の上方に配置しても、第１対向面１５４の上に圧送部ハウジング７１を配置することで、圧送部ハウジング７１のクランクケース４０からの突出量を抑制しながら、圧送部ハウジング７１とクランクケース４０との上下方向の干渉を防ぐことができる。
【００６４】
図６に示すように、チェンジドラム１０８が過給機ケース６７に収納されているので、チェンジドラム１０８の組付けが一層容易になる。また、シフトフォーク１０６がクランクケース４０の上部開口１５０を貫通して延びているので、シフトフォーク１０６をクランクケース４０の側面に配置する場合に比べて、チェンジドラム１０８、シフトフォーク１０６をエンジンＥの車幅方向内側に配置しやすくなる。
【００６５】
また、シフタ駆動手段１１０が、過給機ケース６７に着脱自在に取り付けられているので、シフタ駆動手段１１０を取り付ける前の状態で、シフトフォーク１０６を過給機ケース６７に嵌め込むことができ、組立性が向上する。さらに、過給機６２無しのタイプにも容易に対応できる。
【００６６】
図８は上記エンジンＥを搭載した別の自動二輪車の側面図である。この自動二輪車の車体フレームＦＲは、車体中央部に配置されたエンジンＥと、エンジンＥに支持されてエンジンＥから車幅方向中心付近を上方斜め前方に延びる前部フレーム１Ａと、エンジンＥに支持されてエンジンＥから上方斜め後方に延びる後部フレーム２Ａとを有している。つまり、エンジンＥが車体フレームＦＲの一部を構成している。
【００６７】
前部フレーム１Ａの前端にヘッドパイプ４が一体形成され、このヘッドパイプ４に図示しないステアリングシャフトが回動自在に軸支されて、このステアリングシャフトに操向用のハンドル６が固定されている。すなわち、ヘッドパイプ４がハンドルポストとして機能し、車体フレームＦＲの一部である前部フレーム１Ａが、ヘッドパイプ４から車体後方に延びている。なお、図８では、カウリング３４は省略している。
【００６８】
エンジンＥから前方に延びる二又状のアーム２００が、エンジンＥのクランクケース４０の前部に上下揺動自在に軸支されている。このアーム２００の左右一対のアーム片２００ａ，２００ａの先端部に、前輪１０を操舵可能に支持するハブステア機構（図示せず）が取り付けられている。また、ハンドル６の操作を前記ハブステア機構に伝達してハブステア機構により前輪１０を操舵させる操舵機構（図示せず）と、前輪１０にかかる荷重を受けて緩衝する前部サスペンション（図示せず）とを備えている。それ以外の構造は、第１実施形態と同様であり、第１実施形態と同様の効果を奏する。
【００６９】
本発明は、以上の実施形態に限定されるものでなく、本発明の要旨を逸脱しない範囲内で、種々の追加、変更または削除が可能である。例えば、本発明は、上記実施形態以外にも、一般的なフレーム構造、例えば、クレードルフレーム、ダイヤモンドフレーム、バックボーンフレーム、ツインチューブフレーム等にも適用できる。また、本発明の過給機取付構造は、自動二輪車以外の鞍乗型車両にも適用可能で、三輪車、四輪車にも適用できる。さらに、車両に搭載されるエンジン以外にも適用できる。また、上記実施形態では、切換機構９９は変速比を切換可能な構成としたが、ニュートラル状態とギヤ噛合状態とを切り替えるように構成してもよい。さらに、圧送部６１としてインペラ１１４以外の圧送構造を用いることもできる。したがって、そのようなものも本発明の範囲内に含まれる。
【符号の説明】
【００７０】
３９  エンジン回転軸（クランク軸）
４０  クランクケース
６１  圧送部
６２  過給機
６３  増速部
６４  過給機回転軸
６７  過給機ケース
６９  ケース本体
７１  圧送部ハウジング
８２  過給機駆動軸
９９  切換機構（変速ギヤ）
１０２  チェーン（動力伝達体）
１０６  シフトフォーク
１０８  チェンジドラム
１１０  シフタ駆動手段
１５０  クランクケースの上部開口
１５２  当接面
１５４  第１対向面
１５６  延長面
【図１】
2014010652.tif 000003
【図２】
2014010652.tif 000004
【図３】
2014010652.tif 000005
【図４】
2014010652.tif 000006
【図５】
2014010652.tif 000007
【図６】
2014010652.tif 000008
【図７】
2014010652.tif 000009
【図８】
2014010652.tif 000010
【手続補正書】
【提出日】平成27年1月8日(2015.1.8)
【手続補正１】
【補正対象書類名】特許請求の範囲
【補正対象項目名】全文
【補正方法】変更
【補正の内容】
【特許請求の範囲】
【請求項１】
エンジンに過給機を取り付ける過給機取付構造であって、
前記過給機は、エンジンに吸気を圧送する圧送部と、エンジン回転軸の回転速度を増速して前記圧送部に伝達する増速部と、これら圧送部および増速部を収納する過給機ケースとを有し、
前記過給機ケースが前記エンジンのクランクケースに着脱自在に取り付けられ、
前記過給機ケースが、前記クランクケースの上面に着脱自在に取り付けられるケース本体と、前記ケース本体にボルト連結されて圧送部を収納する圧送部ハウジングとを有し、
前記圧送部は、前記エンジン回転軸と平行に延びる過給機回転軸に固定されたインペラを有し、前記圧送部ハウジングに前記過給機の吸込口が形成され、
前記吸込口が、前記圧送部ハウジングにおける前記増速部と反対側に形成されているエンジンの過給機取付構造。
【請求項２】
請求項１において、前記クランクケースの上部に開口が形成され、前記開口を貫通して延びる動力伝達体によって前記エンジンの動力が前記増速部に伝達され、
前記開口が、前記ケース本体により塞がれているエンジンの過給機取付構造。
【請求項３】
請求項１または２において、前記圧送部ハウジングは、前記ケース本体に連結された状態で、一部が前記ケース本体の下面よりも下方に突出しているエンジンの過給機取付構造。
【請求項４】
請求項３において、前記クランクケースの上面は、前記ケース本体と当接する当接面と、前記圧送部ハウジングと前記過給機の軸方向に対向する対向面とを有し、
前記対向面が前記当接面よりも下方に形成されているエンジンの過給機取付構造。
【請求項５】
請求項４において、前記クランクケースの上面は、さらに、前記対向面から前記当接面と反対側に前記圧送部の軸方向に延びる延長面が形成され、
前記延長面も、前記対向面とともに前記当接面よりも下方に形成されているエンジンの過給機取付構造。
【請求項６】
請求項１から５のいずれか一項において、前記圧送部の回転軸が前記クランクケースの上面よりも上方に位置するように、前記過給機ケースに前記回転軸の支持部が収納されているエンジンの過給機取付構造。
【請求項７】
請求項１から６のいずれか一項において、前記エンジン回転軸に回転連結されて前記過給機を駆動する駆動軸が、前記クランクケースに支持され、
前記駆動軸に前記過給機の動力経路を切り換える切換機構が装着され、この切換機構をシフトフォークを介して作動させるチェンジドラムが前記過給機ケースに収納されているエンジンの過給機取付構造。
【請求項８】
請求項７において、前記シフトフォークは、前記クランクケースの上部に形成される開口を貫通して延びているエンジンの過給機取付構造。
【請求項９】
請求項７または８において、前記チェンジドラムを駆動するためのシフタ駆動手段が、前記過給機ケースに着脱自在に取り付けられているエンジンの過給機取付構造。
【請求項１０】
請求項１から９のいずれか一項において、前記ケース本体が、前記クランクケースにおける前記吸込口が開口する側と反対側の端部の上面に取り付けられているエンジンの過給機取付構造。
【国際調査報告】
2014010652.tif 000011
2014010652.tif 000012
2014010652.tif 000013
2014010652.tif 000014